(57)【特許請求の範囲】
【請求項１】
一方向に２つの分割領域に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有する撮像素子と、
前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを、前記複数の領域の各々に結像する被写体像の比較によって決定する加算対象決定部と、
前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成部と、
前記第１のデフォーカス量に基づいて前記撮像光学系の合焦制御を行う合焦制御部と、を備え、
前記加算対象決定部は、前記任意の領域に結像する第１の被写体像と、前記任意の領域を除く各領域に結像する第２の被写体像との一致度を最大にするために必要な前記第１の被写体像の前記一方向へのずらし量を前記任意の領域を除く領域毎に算出し、前記任意の領域を除く各領域にある前記第１の信号検出部及び前記第２の信号検出部のうち、前記任意の領域にある前記複数の第１の信号検出部の各々に対し当該各領域について算出された前記ずらし量ずれた位置にある第１の信号検出部を前記加算対象として決定し、前記任意の領域にある前記複数の第２の信号検出部の各々に対し当該ずらし量ずれた位置にある第２の信号検出部を前記加算対象として決定する撮像装置。
【請求項２】
請求項１記載の撮像装置であって、
前記加算対象決定部は、前記ずらし量が第１の閾値以上となる前記領域にある前記第１の信号検出部及び前記第２の信号検出部を前記加算対象から除外する撮像装置。
【請求項３】
請求項１又は２記載の撮像装置であって、
前記加算対象決定部は、前記複数の領域の各々に結像する被写体像の比較を、前記複数の領域の各々にある前記第１の信号検出部又は前記第２の信号検出部の検出信号のマッチングにより行う撮像装置。
【請求項４】
請求項１又は２記載の撮像装置であって、
前記領域には、前記２つの分割領域を通過した光束に応じた信号を検出する第３の信号検出部が更に配置されており、
前記加算対象決定部は、前記複数の領域の各々に結像する被写体像の比較を、前記複数の領域の各々にある前記第３の信号検出部の検出信号同士のマッチングにより行う撮像装置。
【請求項５】
請求項４記載の撮像装置であって、
前記加算対象決定部は、前記複数の領域の各々に結像する被写体像の比較を、前記複数の領域の各々にある、前記第１の信号検出部又は前記第２の信号検出部と同じ行にある前記第３の信号検出部の検出信号同士のマッチングにより行う撮像装置。
【請求項６】
請求項１又は２記載の撮像装置であって、
前記領域にある前記ペアは、検出信号を加算することで、前記２つの分割領域を通過した光束に応じた信号を検出する第３の信号検出部として機能するものであり、
前記加算対象決定部は、前記複数の領域の各々に結像する被写体像の比較を、前記複数の領域の各々にある各ペアの前記第１の信号検出部の検出信号と前記第２の信号検出部の検出信号を加算した検出信号同士のマッチングにより行う撮像装置。
【請求項７】
一方向に２つの分割領域に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有する撮像素子と、
前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを、前記複数の領域の各々に結像する被写体像の比較によって決定する加算対象決定部と、
前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成部と、
前記第１のデフォーカス量に基づいて前記撮像光学系の合焦制御を行う合焦制御部と、を備え、
前記加算対象決定部は、前記複数の領域の各々に結像する被写体像の比較を、前記複数の領域の各々にある前記第１の信号検出部又は前記第２の信号検出部の検出信号のマッチングにより行う撮像装置。
【請求項８】
一方向に２つの分割領域に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有する撮像素子と、
前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを、前記複数の領域の各々に結像する被写体像の比較によって決定する加算対象決定部と、
前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成部と、
前記第１のデフォーカス量に基づいて前記撮像光学系の合焦制御を行う合焦制御部と、を備え、
前記領域には、前記２つの分割領域を通過した光束に応じた信号を検出する第３の信号検出部が更に配置されており、
前記加算対象決定部は、前記複数の領域の各々に結像する被写体像の比較を、前記複数の領域の各々にある前記第３の信号検出部の検出信号同士のマッチングにより行う撮像装置。
【請求項９】
請求項８記載の撮像装置であって、
前記加算対象決定部は、前記複数の領域の各々に結像する被写体像の比較を、前記複数の領域の各々にある、前記第１の信号検出部又は前記第２の信号検出部と同じ行にある前記第３の信号検出部の検出信号同士のマッチングにより行う撮像装置。
【請求項１０】
一方向に２つの分割領域に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有する撮像素子と、
前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを、前記複数の領域の各々に結像する被写体像の比較によって決定する加算対象決定部と、
前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成部と、
前記第１のデフォーカス量に基づいて前記撮像光学系の合焦制御を行う合焦制御部と、を備え、
前記領域にある前記ペアは、検出信号を加算することで、前記２つの分割領域を通過した光束に応じた信号を検出する第３の信号検出部として機能するものであり、
前記加算対象決定部は、前記複数の領域の各々に結像する被写体像の比較を、前記複数の領域の各々にある各ペアの前記第１の信号検出部の検出信号と前記第２の信号検出部の検出信号を加算した検出信号同士のマッチングにより行う撮像装置。
【請求項１１】
請求項１〜１０のいずれか１項記載の撮像装置であって、
前記加算対象決定部は、前記撮像面を前記複数の領域からなるブロックに分割したときの前記ブロック毎に前記加算対象を決定し、
前記デフォーカス量生成部は、前記ブロック毎に前記第１のデフォーカス量を生成し、前記ブロック毎に生成した第１のデフォーカス量から第２のデフォーカス量を生成し、
前記合焦制御部は、前記第２のデフォーカス量にしたがって前記撮像光学系の合焦制御を行う撮像装置。
【請求項１２】
請求項１１記載の撮像装置であって、
前記デフォーカス量生成部は、前記ブロックに含まれる前記複数の領域の各々において、複数の前記ペアから出力される前記第１の信号検出部の検出信号と前記第２の信号検出部の検出信号とで相関演算を行い、当該相関演算の結果から第３のデフォーカス量を生成し、前記複数の領域の各々について生成された前記第３のデフォーカス量のばらつきが第２の閾値以上となる前記ブロックを除くブロックについて生成した前記第１のデフォーカス量から前記第２のデフォーカス量を生成する撮像装置。
【請求項１３】
一方向に２つの分割領域に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有する撮像素子と、
前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを、前記複数の領域の各々に結像する被写体像の比較によって決定する加算対象決定部と、
前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成部と、
前記第１のデフォーカス量に基づいて前記撮像光学系の合焦制御を行う合焦制御部と、を備え、
前記加算対象決定部は、前記撮像面を前記複数の領域からなるブロックに分割したときの前記ブロック毎に前記加算対象を決定し、
前記デフォーカス量生成部は、前記ブロック毎に前記第１のデフォーカス量を生成し、前記ブロック毎に生成した第１のデフォーカス量から第２のデフォーカス量を生成し、
前記合焦制御部は、前記第２のデフォーカス量にしたがって前記撮像光学系の合焦制御を行い、
前記デフォーカス量生成部は、前記ブロックに含まれる前記複数の領域の各々において、複数の前記ペアから出力される前記第１の信号検出部の検出信号と前記第２の信号検出部の検出信号とで相関演算を行い、当該相関演算の結果から第３のデフォーカス量を生成し、前記複数の領域の各々について生成された前記第３のデフォーカス量のばらつきが第２の閾値以上となる前記ブロックを除くブロックについて生成した前記第１のデフォーカス量から前記第２のデフォーカス量を生成する撮像装置。
【請求項１４】
一方向に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有し、前記撮像光学系を通して被写体を撮像する撮像素子を有する撮像装置の合焦制御方法であって、
前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを前記複数の領域の各々に結像する被写体像の比較によって決定する加算対象決定ステップと、
前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成ステップと、
前記第１のデフォーカス量に基づいて前記撮像光学系の合焦制御を行う合焦制御ステップと、を備え、
前記加算対象決定ステップは、前記任意の領域に結像する第１の被写体像と、前記任意の領域を除く各領域に結像する第２の被写体像との一致度を最大にするために必要な前記第１の被写体像の前記一方向へのずらし量を前記任意の領域を除く領域毎に算出し、前記任意の領域を除く各領域にある前記第１の信号検出部及び前記第２の信号検出部のうち、前記任意の領域にある前記複数の第１の信号検出部の各々に対し当該各領域について算出された前記ずらし量ずれた位置にある第１の信号検出部を前記加算対象として決定し、前記任意の領域にある前記複数の第２の信号検出部の各々に対し当該ずらし量ずれた位置にある第２の信号検出部を前記加算対象として決定する合焦制御方法。
【請求項１５】
一方向に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有し、前記撮像光学系を通して被写体を撮像する撮像素子を有する撮像装置の合焦制御方法であって、
前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを前記複数の領域の各々に結像する被写体像の比較によって決定する加算対象決定ステップと、
前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成ステップと、
前記第１のデフォーカス量に基づいて前記撮像光学系の合焦制御を行う合焦制御ステップと、を備え、
前記加算対象決定ステップは、前記複数の領域の各々に結像する被写体像の比較を、前記複数の領域の各々にある前記第１の信号検出部又は前記第２の信号検出部の検出信号のマッチングにより行う合焦制御方法。
【請求項１６】
一方向に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有し、前記撮像光学系を通して被写体を撮像する撮像素子を有する撮像装置の合焦制御方法であって、
前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを前記複数の領域の各々に結像する被写体像の比較によって決定する加算対象決定ステップと、
前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成ステップと、
前記第１のデフォーカス量に基づいて前記撮像光学系の合焦制御を行う合焦制御ステップと、を備え、
前記領域には、前記２つの分割領域を通過した光束に応じた信号を検出する第３の信号検出部が更に配置されており、
前記加算対象決定ステップは、前記複数の領域の各々に結像する被写体像の比較を、前記複数の領域の各々にある前記第３の信号検出部の検出信号同士のマッチングにより行う合焦制御方法。
【請求項１７】
一方向に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有し、前記撮像光学系を通して被写体を撮像する撮像素子を有する撮像装置の合焦制御方法であって、
前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを前記複数の領域の各々に結像する被写体像の比較によって決定する加算対象決定ステップと、
前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成ステップと、
前記第１のデフォーカス量に基づいて前記撮像光学系の合焦制御を行う合焦制御ステップと、を備え、
前記領域にある前記ペアは、検出信号を加算することで、前記２つの分割領域を通過した光束に応じた信号を検出する第３の信号検出部として機能するものであり、
前記加算対象決定ステップは、前記複数の領域の各々に結像する被写体像の比較を、前記複数の領域の各々にある各ペアの前記第１の信号検出部の検出信号と前記第２の信号検出部の検出信号を加算した検出信号同士のマッチングにより行う合焦制御方法。
【請求項１８】
一方向に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有し、前記撮像光学系を通して被写体を撮像する撮像素子を有する撮像装置の合焦制御方法であって、
前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを前記複数の領域の各々に結像する被写体像の比較によって決定する加算対象決定ステップと、
前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成ステップと、
前記第１のデフォーカス量に基づいて前記撮像光学系の合焦制御を行う合焦制御ステップと、を備え、
前記加算対象決定ステップは、前記撮像面を前記複数の領域からなるブロックに分割したときの前記ブロック毎に前記加算対象を決定し、
前記デフォーカス量生成ステップは、前記ブロック毎に前記第１のデフォーカス量を生成し、前記ブロック毎に生成した第１のデフォーカス量から第２のデフォーカス量を生成し、
前記合焦制御ステップは、前記第２のデフォーカス量にしたがって前記撮像光学系の合焦制御を行い、
前記デフォーカス量生成ステップは、前記ブロックに含まれる前記複数の領域の各々において、複数の前記ペアから出力される前記第１の信号検出部の検出信号と前記第２の信号検出部の検出信号とで相関演算を行い、当該相関演算の結果から第３のデフォーカス量を生成し、前記複数の領域の各々について生成された前記第３のデフォーカス量のばらつきが第２の閾値以上となる前記ブロックを除くブロックについて生成した前記第１のデフォーカス量から前記第２のデフォーカス量を生成する合焦制御方法。
【発明の詳細な説明】
【技術分野】
【０００１】
本発明は、撮像装置及び合焦制御方法に関する。
【背景技術】
【０００２】
近年、ＣＣＤ（Ｃｈａｒｇｅ  Ｃｏｕｐｌｅｄ  Ｄｅｖｉｃｅ）イメージセンサ、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等の撮像素子の高解像度化に伴い、デジタルスチルカメラ、デジタルビデオカメラ、スマートフォン等の携帯電話機、ＰＤＡ（Ｐｅｒｓｏｎａｌ  Ｄｉｇｉｔａｌ  Ａｓｓｉｓｔａｎｔ，携帯情報端末）等の撮影機能を有する情報機器の需要が急増している。なお、以上のような撮像機能を有する情報機器を撮像装置と称する。【０００３】
これら撮像装置では、主要な被写体に焦点を合わせる合焦制御方法として、位相差ＡＦ（Ａｕｔｏ  Ｆｏｃｕｓ）方式（例えば特許文献１〜３参照）が採用されている。【０００４】
位相差ＡＦ方式により合焦制御を行う撮像装置に搭載される固体撮像素子には、例えば、遮光膜開口が互いに逆方向に偏心した位相差検出用画素のペアを撮像面の全面に離散的に設けたものが使用される。【０００５】
この位相差検出用画素は、遮光膜開口が光電変換部に対して偏心していない通常の撮像用画素と比べて感度が低い。そのため、被写体が低照度の場合には、位相差検出用画素の検出信号レベルが低下してしまう。このような検出信号レベルの低下を補うべく、単純にゲインアップ処理をして相関演算を行うと、相関演算結果において誤差が生じてしまう。そこで、位相差検出用画素の検出信号同士を加算することによって信号量を増やすことが行われている。【０００６】
特許文献１には、斜め方向に並ぶ複数の位相差検出用画素の検出信号を加算し、加算後の検出信号を用いて相関演算してデフォーカス量を生成する構成が記載されている。【０００７】
また、特許文献２には、水平方向位置が同じである複数の位相差検出用画素の検出信号を加算し、加算後の検出信号に基づいてデフォーカス量を生成する構成が開示されている。
【先行技術文献】
【特許文献】
【０００８】
【特許文献１】特開２０１１−１３５１９１号公報
【特許文献２】特開２０１０−１５２１６１号公報
【発明の概要】
【発明が解決しようとする課題】
【０００９】
特許文献１，２に記載の撮像装置は、いずれも、特定の方向に並ぶ複数の位相差検出用画素で検出信号を加算し、加算後の検出信号を用いて相関演算を行うものである。しかし、これらの複数の位相差検出用画素の一部には明るい被写体部分が結像し、これらの複数の位相差検出用画素の残りの部分には暗い被写体部分が結像しているような場合、つまり、特定の方向に交差して被写体のエッジが存在している場合がある。この場合、検出信号の加算によってエッジがぼやけることになるため、加算後の検出信号の相関演算結果に誤差が生じることになる。【００１０】
本発明は、上記事情に鑑みてなされたものであり、位相差検出用画素の検出信号レベルが低くなる場合でも、被写体によらずに、合焦制御の精度を向上させることができる撮像装置及び合焦制御方法を提供することを目的とする。
【課題を解決するための手段】
【００１１】
本発明の撮像装置は、一方向に２つの分割領域に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有する撮像素子と、前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを、前記複数の領域の各々に結像する被写体像の比較によって決定する加算対象決定部と、前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成部と、前記第１のデフォーカス量に基づいて前記撮像光学系の合焦制御を行う合焦制御部と、を備え、前記加算対象決定部は、前記任意の領域に結像する第１の被写体像と、前記任意の領域を除く各領域に結像する第２の被写体像との一致度を最大にするために必要な前記第１の被写体像の前記一方向へのずらし量を前記任意の領域を除く領域毎に算出し、前記任意の領域を除く各領域にある前記第１の信号検出部及び前記第２の信号検出部のうち、前記任意の領域にある前記複数の第１の信号検出部の各々に対し当該各領域について算出された前記ずらし量ずれた位置にある第１の信号検出部を前記加算対象として決定し、前記任意の領域にある前記複数の第２の信号検出部の各々に対し当該ずらし量ずれた位置にある第２の信号検出部を前記加算対象として決定する。
本発明の撮像装置は、一方向に２つの分割領域に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有する撮像素子と、前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを、前記複数の領域の各々に結像する被写体像の比較によって決定する加算対象決定部と、前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成部と、前記第１のデフォーカス量に基づいて前記撮像光学系の合焦制御を行う合焦制御部と、を備え、前記加算対象決定部は、前記複数の領域の各々に結像する被写体像の比較を、前記複数の領域の各々にある前記第１の信号検出部又は前記第２の信号検出部の検出信号のマッチングにより行う。
本発明の撮像装置は、一方向に２つの分割領域に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有する撮像素子と、前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを、前記複数の領域の各々に結像する被写体像の比較によって決定する加算対象決定部と、前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成部と、前記第１のデフォーカス量に基づいて前記撮像光学系の合焦制御を行う合焦制御部と、を備え、前記領域には、前記２つの分割領域を通過した光束に応じた信号を検出する第３の信号検出部が更に配置されており、前記加算対象決定部は、前記複数の領域の各々に結像する被写体像の比較を、前記複数の領域の各々にある前記第３の信号検出部の検出信号同士のマッチングにより行う。
本発明の撮像装置は、一方向に２つの分割領域に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有する撮像素子と、前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを、前記複数の領域の各々に結像する被写体像の比較によって決定する加算対象決定部と、前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成部と、前記第１のデフォーカス量に基づいて前記撮像光学系の合焦制御を行う合焦制御部と、を備え、前記領域にある前記ペアは、検出信号を加算することで、前記２つの分割領域を通過した光束に応じた信号を検出する第３の信号検出部として機能するものであり、前記加算対象決定部は、前記複数の領域の各々に結像する被写体像の比較を、前記複数の領域の各々にある各ペアの前記第１の信号検出部の検出信号と前記第２の信号検出部の検出信号を加算した検出信号同士のマッチングにより行う。
本発明の撮像装置は、一方向に２つの分割領域に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有する撮像素子と、前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを、前記複数の領域の各々に結像する被写体像の比較によって決定する加算対象決定部と、前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成部と、前記第１のデフォーカス量に基づいて前記撮像光学系の合焦制御を行う合焦制御部と、を備え、前記加算対象決定部は、前記撮像面を前記複数の領域からなるブロックに分割したときの前記ブロック毎に前記加算対象を決定し、前記デフォーカス量生成部は、前記ブロック毎に前記第１のデフォーカス量を生成し、前記ブロック毎に生成した第１のデフォーカス量から第２のデフォーカス量を生成し、前記合焦制御部は、前記第２のデフォーカス量にしたがって前記撮像光学系の合焦制御を行い、前記デフォーカス量生成部は、前記ブロックに含まれる前記複数の領域の各々において、複数の前記ペアから出力される前記第１の信号検出部の検出信号と前記第２の信号検出部の検出信号とで相関演算を行い、当該相関演算の結果から第３のデフォーカス量を生成し、前記複数の領域の各々について生成された前記第３のデフォーカス量のばらつきが第２の閾値以上となる前記ブロックを除くブロックについて生成した前記第１のデフォーカス量から前記第２のデフォーカス量を生成する。
【００１２】
本発明の合焦制御方法は、一方向に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有し、前記撮像光学系を通して被写体を撮像する撮像素子を有する撮像装置の合焦制御方法であって、前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを前記複数の領域の各々に結像する被写体像の比較によって決定する加算対象決定ステップと、前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成ステップと、前記第１のデフォーカス量に基づいて前記撮像光学系の合焦制御を行う合焦制御ステップと、を備え、前記加算対象決定ステップは、前記任意の領域に結像する第１の被写体像と、前記任意の領域を除く各領域に結像する第２の被写体像との一致度を最大にするために必要な前記第１の被写体像の前記一方向へのずらし量を前記任意の領域を除く領域毎に算出し、前記任意の領域を除く各領域にある前記第１の信号検出部及び前記第２の信号検出部のうち、前記任意の領域にある前記複数の第１の信号検出部の各々に対し当該各領域について算出された前記ずらし量ずれた位置にある第１の信号検出部を前記加算対象として決定し、前記任意の領域にある前記複数の第２の信号検出部の各々に対し当該ずらし量ずれた位置にある第２の信号検出部を前記加算対象として決定する。
本発明の合焦制御方法は、一方向に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有し、前記撮像光学系を通して被写体を撮像する撮像素子を有する撮像装置の合焦制御方法であって、前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを前記複数の領域の各々に結像する被写体像の比較によって決定する加算対象決定ステップと、前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成ステップと、前記第１のデフォーカス量に基づいて前記撮像光学系の合焦制御を行う合焦制御ステップと、を備え、前記加算対象決定ステップは、前記複数の領域の各々に結像する被写体像の比較を、前記複数の領域の各々にある前記第１の信号検出部又は前記第２の信号検出部の検出信号のマッチングにより行う。
本発明の合焦制御方法は、一方向に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有し、前記撮像光学系を通して被写体を撮像する撮像素子を有する撮像装置の合焦制御方法であって、前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを前記複数の領域の各々に結像する被写体像の比較によって決定する加算対象決定ステップと、前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成ステップと、前記第１のデフォーカス量に基づいて前記撮像光学系の合焦制御を行う合焦制御ステップと、を備え、前記領域には、前記２つの分割領域を通過した光束に応じた信号を検出する第３の信号検出部が更に配置されており、前記加算対象決定ステップは、前記複数の領域の各々に結像する被写体像の比較を、前記複数の領域の各々にある前記第３の信号検出部の検出信号同士のマッチングにより行う。
本発明の合焦制御方法は、一方向に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有し、前記撮像光学系を通して被写体を撮像する撮像素子を有する撮像装置の合焦制御方法であって、前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを前記複数の領域の各々に結像する被写体像の比較によって決定する加算対象決定ステップと、前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成ステップと、前記第１のデフォーカス量に基づいて前記撮像光学系の合焦制御を行う合焦制御ステップと、を備え、前記領域にある前記ペアは、検出信号を加算することで、前記２つの分割領域を通過した光束に応じた信号を検出する第３の信号検出部として機能するものであり、前記加算対象決定ステップは、前記複数の領域の各々に結像する被写体像の比較を、前記複数の領域の各々にある各ペアの前記第１の信号検出部の検出信号と前記第２の信号検出部の検出信号を加算した検出信号同士のマッチングにより行う。
本発明の合焦制御方法は、一方向に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、前記一方向に並ぶ複数の前記第１の信号検出部及び当該第１の信号検出部とペアを組む複数の前記第２の信号検出部が配置される領域が前記一方向に直交する方向に並ぶ撮像面を有し、前記撮像光学系を通して被写体を撮像する撮像素子を有する撮像装置の合焦制御方法であって、前記一方向に直交する方向に並ぶ複数の前記領域のうちの任意の領域にある複数の前記第１の信号検出部の各々に対し、前記任意の領域を除く各領域において検出信号の加算対象とする前記第１の信号検出部と、当該複数の第１の信号検出部の各々とペアを組む前記第２の信号検出部に対し、前記任意の領域を除く各領域において検出信号の加算対象とする前記第２の信号検出部とを前記複数の領域の各々に結像する被写体像の比較によって決定する加算対象決定ステップと、前記任意の領域にある前記複数の第１の信号検出部の各々の検出信号と、当該各第１の信号検出部に対し前記加算対象として決定された第１の信号検出部の検出信号とを加算することにより得られる検出信号群と、前記任意の領域にある前記複数の第２の信号検出部の各々の検出信号と、当該各第２の信号検出部に対し前記加算対象として決定された第２の信号検出部の検出信号とを加算することにより得られる検出信号群との相関演算を行い、前記相関演算の結果から第１のデフォーカス量を生成するデフォーカス量生成ステップと、前記第１のデフォーカス量に基づいて前記撮像光学系の合焦制御を行う合焦制御ステップと、を備え、前記加算対象決定ステップは、前記撮像面を前記複数の領域からなるブロックに分割したときの前記ブロック毎に前記加算対象を決定し、前記デフォーカス量生成ステップは、前記ブロック毎に前記第１のデフォーカス量を生成し、前記ブロック毎に生成した第１のデフォーカス量から第２のデフォーカス量を生成し、前記合焦制御ステップは、前記第２のデフォーカス量にしたがって前記撮像光学系の合焦制御を行い、前記デフォーカス量生成ステップは、前記ブロックに含まれる前記複数の領域の各々において、複数の前記ペアから出力される前記第１の信号検出部の検出信号と前記第２の信号検出部の検出信号とで相関演算を行い、当該相関演算の結果から第３のデフォーカス量を生成し、前記複数の領域の各々について生成された前記第３のデフォーカス量のばらつきが第２の閾値以上となる前記ブロックを除くブロックについて生成した前記第１のデフォーカス量から前記第２のデフォーカス量を生成する。
【発明の効果】
【００１３】
本発明によれば、位相差検出用画素の検出信号レベルが低くなる場合でも、被写体によらずに、合焦制御の精度を向上させることができる撮像装置及び合焦制御方法を提供することができる。
【図面の簡単な説明】
【００１４】
【図１】本発明の一実施形態を説明するための撮像装置の一例としてのデジタルカメラの概略構成を示す図である。
【図２】図１に示すデジタルカメラに搭載される撮像素子５の全体構成を示す平面模式図である。
【図３】図２に示す１つのＡＦエリア５３の部分拡大図である。
【図４】図３に示す位相差検出用画素５２Ａ，５２Ｂのみを示した図である。
【図５】図３に示す位相差検出用画素５２Ａの断面構成を示す図である。
【図６】加算対象画素を決定する方法を説明するための図である。
【図７】図６に示すエッジＤの変形例を示す図である。
【図８】図１に示すデジタルカメラのオートフォーカス動作を説明するためのフローチャートである。
【図９】ＡＦエリア５３をブロック分割した例を示す図である。
【図１０】図２に示す撮像素子５の変形例を示す図である。
【図１１】撮像装置としてスマートフォンを説明する図である。
【図１２】図１１のスマートフォンの内部ブロック図である。
【発明を実施するための形態】
【００１５】
以下、本発明の実施形態について図面を参照して説明する。
【００１６】
図１は、本発明の一実施形態を説明するための撮像装置の一例としてのデジタルカメラの概略構成を示す図である。
【００１７】
図１に示すデジタルカメラは、焦点調節のためのフォーカスレンズ、及び、ズームレンズ等を含む撮像レンズ１と、絞り２とを有するレンズ装置を備える。レンズ装置は撮像光学系を構成する。
【００１８】
図１に示すレンズ装置はカメラ本体に固定されているが、別のレンズ装置に交換可能であってもよい。撮像レンズ１は少なくともフォーカスレンズを含んでいればよい。フォーカスレンズは、レンズ系全体を移動させることで焦点調節を行う単焦点レンズでもよい。
【００１９】
デジタルカメラは、レンズ装置を通して被写体を撮像するＣＣＤ型やＣＭＯＳ型等の撮像素子５と、撮像素子５の出力に接続された相関二重サンプリング処理等のアナログ信号処理を行うアナログ信号処理部６と、アナログ信号処理部６から出力されるアナログ信号をデジタル信号に変換するＡ／Ｄ変換回路７とを備える。
【００２０】
アナログ信号処理部６及びＡ／Ｄ変換回路７は、システム制御部１１によって制御される。アナログ信号処理部６及びＡ／Ｄ変換回路７は撮像素子５に内蔵されることもある。
【００２１】
デジタルカメラの電気制御系全体を統括制御するシステム制御部１１は、レンズ駆動部８を制御し撮像レンズ１に含まれるフォーカスレンズを駆動して主要被写体に合焦させる合焦制御を行ったり、撮像レンズ１に含まれるズームレンズの位置の調整を行ったりする。更に、システム制御部１１は、絞り駆動部９を介して絞り２の開口量を制御することにより、露光量の調整を行う。
【００２２】
また、システム制御部１１は、撮像素子駆動部１０を介して撮像素子５を駆動し、撮像レンズ１を通して撮像した被写体像を撮像画像信号として出力させる。システム制御部１１には、操作部１４を通してユーザからの指示信号が入力される。この指示信号には、撮像光学系の合焦制御の実行を指示する指示信号が含まれる。
【００２３】
更に、このデジタルカメラの電気制御系は、メインメモリ１６と、メインメモリ１６に接続されたメモリ制御部１５と、Ａ／Ｄ変換回路７から出力される撮像画像信号に対し、補間演算、ガンマ補正演算、及びＲＧＢ／ＹＣ変換処理等を行って撮影画像データを生成するデジタル信号処理部１７と、位相差ＡＦ処理部１９と、着脱自在の記録媒体２１が接続される外部メモリ制御部２０と、カメラ背面等に搭載された表示部２３が接続される表示制御部２２と、を備える。
【００２４】
メモリ制御部１５、デジタル信号処理部１７、位相差ＡＦ処理部１９、外部メモリ制御部２０、及び表示制御部２２は、制御バス２４及びデータバス２５によって相互に接続され、システム制御部１１からの指令によって制御される。
【００２５】
図２は、図１に示すデジタルカメラに搭載される撮像素子５の全体構成を示す平面模式図である。
【００２６】
撮像素子５は、行方向Ｘ及びこれに直交する列方向Ｙに二次元状に配列された多数の画素が配置された撮像面５０を有する。この撮像面５０には、フォーカスを合わせる対象となるエリアであるＡＦエリア５３が図２の例では９つ設定されている。
【００２７】
ＡＦエリア５３は、画素として撮像用画素と位相差検出用画素とを含むエリアである。
【００２８】
撮像面５０のうちＡＦエリア５３を除く部分には、撮像用画素だけが配置される。なお、ＡＦエリア５３は、撮像面５０に隙間無く設けてあってもよい。
【００２９】
図３は、図２に示す１つのＡＦエリア５３の部分拡大図である。
【００３０】
ＡＦエリア５３には、画素５１（図中正方形のブロック）が二次元状に配列されている。各画素５１は、フォトダイオード等の光電変換部と、この光電変換部上方に形成されたカラーフィルタとを含む。
【００３１】
図３では、赤色光を透過するカラーフィルタ（Ｒフィルタ）を含む画素５１（Ｒ画素５１）には“Ｒ”の文字を付し、緑色光を透過するカラーフィルタ（Ｇフィルタ）を含む画素５１（Ｇ画素５１）には“Ｇ”の文字を付し、青色光を透過するカラーフィルタ（Ｂフィルタ）を含む画素５１（Ｂ画素５１）には“Ｂ”の文字を付している。カラーフィルタの配列は撮像面５０全体でベイヤ配列となっている。
【００３２】
ＡＦエリア５３では、Ｇ画素５１の一部（図３中の網掛けを付した画素）が位相差検出用画素５２Ａ，５２Ｂとなっている。図３の例では、Ｒ画素５１とＧ画素５１を含む画素行のうちの任意の画素行における各Ｇ画素５１が位相差検出用画素５２Ａとなっている。また、この各Ｇ画素５１に対して列方向Ｙに最も近い同色のＧ画素５１が位相差検出用画素５２Ｂとなっている。位相差検出用画素５２Ａと、これに対して列方向Ｙに最も近い同色の位相差検出用画素５２Ｂとがペアを構成している。
【００３３】
図４は、図３に示すＸ方向に並ぶ複数のペアを示した図である。
【００３４】
位相差検出用画素５２Ａは、一方向（図３の例ではＸ方向）に分割された撮像レンズ１の瞳領域の一方の分割領域を通過した光束を受光し受光量に応じた信号を検出する第１の信号検出部である。
【００３５】
位相差検出用画素５２Ｂは、撮像レンズ１の瞳領域の他方の分割領域を通過した光束を受光し受光量に応じた信号を検出する第２の信号検出部である。
【００３６】
なお、ＡＦエリア５３において、位相差検出用画素５２Ａ，５２Ｂ以外の複数の画素５１は撮像用画素である。この撮像用画素は、撮像レンズ１の瞳領域の上記２つの分割領域の双方を通過した光束を受光し受光量に応じた信号を検出する第３の信号検出部である。
【００３７】
図３に示したように、ＡＦエリア５３には、Ｘ方向に並ぶ複数の位相差検出用画素５２Ａと、この複数の位相差検出用画素５２Ａの各々とペアを組む位相差検出用画素５２Ｂとが配置される領域Ｒが、Ｙ方向に複数配列されている。この領域Ｒにおいて、位相差検出用画素５２Ａを含む画素行と、位相差検出用画素５２Ｂを含む画素行との間には、撮像用画素５１のみを含む画素行が配置されている。
【００３８】
各画素５１の光電変換部上方には遮光膜が設けられ、この遮光膜には、光電変換部の受光面積を規定する開口が形成されている。
【００３９】
撮像用画素５１の開口の中心は、撮像用画素５１の光電変換部の中心と一致している。これに対し、位相差検出用画素５２Ａの開口（図４の白抜き部分）の中心は、位相差検出用画素５２Ａの光電変換部の中心に対し右側に偏心している。
【００４０】
また、位相差検出用画素５２Ｂの開口（図４の白抜き部分）の中心は、位相差検出用画素５２Ｂの光電変換部の中心に対して左側に偏心している。ここでいう右方向は、図３で示すＸ方向の一方の方向であり、左方向はＸ方向のもう一方の方向である。
【００４１】
図５は、位相差検出用画素５２Ａの断面構成を示す図である。図５に示すように、位相差検出用画素５２Ａは、開口ｃが光電変換部（ＰＤ）に対して右に偏心している。
【００４２】
図５に示すように、光電変換部の片側を遮光膜によって覆う事によって、遮光膜で覆った方向と逆の方向から入射した光を選択的に遮光することができる。
【００４３】
この構成により、任意の行にある位相差検出用画素５２Ａからなる画素群と、この画素群の各位相差検出用画素５２Ａに対して一方向に同一距離で配置された位相差検出用画素５２Ｂからなる画素群とによって、これら２つの画素群の各々によって撮像される像における行方向Ｘの位相差を検出することができる。
【００４４】
図１に示す位相差ＡＦ処理部１９は、被写体の明るさに応じて、以下の２つの方法のいずれかでデフォーカス量を生成する。位相差ＡＦ処理部１９は、デフォーカス量生成部として機能する。
【００４５】
（第１の方法）
位相差ＡＦ処理部１９は、９つのＡＦエリア５３の中からユーザ操作等により選択されたＡＦエリア５３において、領域Ｒ毎に、位相差検出用画素５２Ａ及び位相差検出用画素５２Ｂの検出信号群同士の相関演算を行い、位相差検出用画素５２Ａによって撮像される像と位相差検出用画素５２Ｂによって撮像される像の相対的な位置ずれ量である位相差を演算する。
【００４６】
位相差ＡＦ処理部１９は、この位相差に基づいて、撮像レンズ１による主要被写体の結像面と撮像素子５の撮像面５０とを一致させるために必要なフォーカスレンズの移動量であるデフォーカス量Ｄｆｒを生成する。位相差ＡＦ処理部１９は、各領域Ｒについて生成したデフォーカス量Ｄｆｒを平均し、平均して得たデフォーカス量Ｄｆをシステム制御部１１に通知する。
【００４７】
（第２の方法）
位相差ＡＦ処理部１９は、選択されたＡＦエリア５３の任意の領域Ｒにある複数の位相差検出用画素５２Ａの各々に対し、この任意の領域Ｒを除く各領域Ｒにおいて、検出信号の加算対象とする位相差検出用画素５２Ａを決定する。また、位相差ＡＦ処理部１９は、任意の領域Ｒにある上記複数の位相差検出用画素５２Ａの各々とペアを組む位相差検出用画素５２Ｂに対し、任意の領域Ｒを除く各領域Ｒにおいて、検出信号の加算対象とする位相差検出用画素５２Ｂを決定する。位相差ＡＦ処理部１９は加算対象決定部として機能する。
【００４８】
位相差ＡＦ処理部１９は、任意の領域Ｒにある上記複数の位相差検出用画素５２Ａの各々の検出信号と、この各々に対して加算対象として決定した他の領域Ｒにある位相差検出用画素５２Ａの検出信号とを加算する。また、位相差ＡＦ処理部１９は、上記任意の領域Ｒにある上記複数の位相差検出用画素５２Ｂの各々の検出信号と、この各々に対して加算対象として決定した他の領域Ｒにある位相差検出用画素５２Ｂの検出信号とを加算する。そして、位相差ＡＦ処理部１９は、加算後の位相差検出用画素５２Ａの検出信号群と位相差検出用画素５２Ｂの検出信号群との相関演算を行い、この相関演算の結果から第１のデフォーカス量Ｄｆ１を生成し、第１のデフォーカス量Ｄｆ１をシステム制御部１１に通知する。
【００４９】
位相差ＡＦ処理部１９が加算対象となる画素を決定する方法について、図６を用いて具体的に説明する。
【００５０】
図６には、図３で図示したＡＦエリア５３が示されている。図６では、ＡＦエリア５３にある３つの領域Ｒのうち、一番上を領域Ｒ１とし、真ん中を領域Ｒ２とし、一番下を領域Ｒ３としている。図６において、任意の領域Ｒ１にある太線で囲った８つの位相差検出用画素５２Ａに対し、領域Ｒ１を除く各領域Ｒ２，Ｒ３において検出信号の加算対象となる位相差検出用画素５２Ａを決定する方法について説明する。
【００５１】
位相差ＡＦ処理部１９は、まず、領域Ｒ１に結像する第１の被写体像と、領域Ｒ２に結像する第２の被写体像を比較する。
【００５２】
図６には、領域Ｒ１にある太線で囲った８つの位相差検出用画素５２Ａの検出信号波形を符号６０で示している。また、領域Ｒ２にある全ての位相差検出用画素５２Ａの検出信号波形を符号６１で示している。符号６０，６１で示す波形は、横軸を位相差検出用画素５２Ａの位置としたものである。
【００５３】
なお、図６では、検出信号波形６０と検出信号波形６１をＹ方向に僅かにずらして示しているが、実際にはこのずれは存在しない。また、図６では、撮像面に結像する被写体のうちの輝度が低い部分を符号Ｄで示している。この部分Ｄとそれ以外の部分との境界が被写体のエッジとなる。
【００５４】
ここで、検出信号波形６０は、領域Ｒ１に結像する第１の被写体像に対応する。また、検出信号波形６１は、領域Ｒ２に結像する第２の被写体像に対応する。そこで、位相差ＡＦ処理部１９は、検出信号波形６０と検出信号波形６１のマッチングを行うことで加算対象を決定する。
【００５５】
具体的には、位相差ＡＦ処理部１９は、検出信号波形６０，６１において、Ｘ方向位置が同じ検出信号の差分を求め、この差分の積算値を求める。位相差ＡＦ処理部１９は、検出信号波形６０の各検出信号のＸ方向位置を１つずつずらしていき、各位置において同様に差分の積算値を求める。
【００５６】
そして、この積算値が最小となったときの検出信号波形６０のＸ方向のずらし量Ｓａ（図の例では２画素分の距離）を生成する。このずらし量Ｓａが、領域Ｒ１に結像する第１の被写体像と領域Ｒ２に結像する第２の被写体像との一致度を最大にするために必要な第１の被写体像のＸ方向へのずらし量となる。
【００５７】
位相差ＡＦ処理部１９は、検出信号波形６０と、領域Ｒ３の全ての位相差検出用画素５２Ａの検出信号波形とのマッチングも同様に行って、領域Ｒ１に結像する第１の被写体像と領域Ｒ３に結像する第２の被写体像との一致度を最大にするために必要な第１の被写体像のＸ方向へのずらし量Ｓｂを生成する。
【００５８】
位相差ＡＦ処理部１９は、領域Ｒ２の位相差検出用画素５２Ａのうち、領域Ｒ１にある太枠で囲った８つの位相差検出用画素５２Ａの各々に対し、Ｘ方向にずらし量Ｓａずれた位置にある位相差検出用画素５２Ａ（図６中の破線で囲った画素）を加算対象とする。
【００５９】
また、位相差ＡＦ処理部１９は、領域Ｒ２の位相差検出用画素５２Ｂのうち、領域Ｒ１にある太枠で囲った８つの位相差検出用画素５２Ａの各々とペアを組む位相差検出用画素５２Ｂに対し、Ｘ方向にずらし量Ｓａずれた位置にある位相差検出用画素５２Ｂ（図６中の破線で囲った位相差検出用画素５２Ａの下にある画素）を加算対象とする。
【００６０】
同様に、位相差ＡＦ処理部１９は、領域Ｒ３の位相差検出用画素５２Ａのうち、領域Ｒ１にある太枠で囲った８つの位相差検出用画素５２Ａの各々に対し、Ｘ方向にずらし量Ｓｂずれた位置にある位相差検出用画素５２Ａ（図６中の破線で囲った画素）を加算対象とする。
【００６１】
また、位相差ＡＦ処理部１９は、領域Ｒ３の位相差検出用画素５２Ｂのうち、領域Ｒ１にある太枠で囲った８つの位相差検出用画素５２Ａの各々とペアを組む位相差検出用画素５２Ｂに対し、Ｘ方向にずらし量Ｓｂずれた位置にある位相差検出用画素５２Ｂ（図６中の破線で囲った位相差検出用画素５２Ａの下にある画素）を加算対象とする。
【００６２】
このような処理により、加算される複数の位相差検出用画素５２Ａ（５２Ｂ）の検出信号は、全て輝度が高い部分の信号又は輝度が低い部分の信号となる。このため、加算によってエッジがぼやけてしまって、相関演算結果に誤差が生じるのを防ぐことができる。
【００６３】
また、領域Ｒ１と領域Ｒ２とでマッチング（被写体像の比較）を行い、領域Ｒ１と領域Ｒ３とでマッチング（被写体像の比較）を行って加算対象画素を決めることで、図７に示すように、ＡＦエリア５３において途中で方向が変わるエッジが存在していた場合でも、このエッジの形状に沿って加算を行うことができる。したがって、相関演算結果に誤差が生じるのを防ぐことができる。
【００６４】
なお、図６，７において、加算対象を決める基準となる位相差検出用画素５２Ａの数は、領域Ｒ１にある全ての位相差検出用画素５２Ａよりも少ない数としている。これは、斜め方向に加算を行う場合、領域Ｒ１の全ての位相差検出用画素５２Ａを基準にしてしまうと、Ｘ方向端部にある位相差検出用画素５２Ａについては加算先が存在しなくなってしまうためである。
【００６５】
図１に戻り、システム制御部１１は、位相差ＡＦ処理部１９から通知されたデフォーカス量Ｄｆ又は第１のデフォーカス量Ｄｆ１にしたがってフォーカスレンズを駆動して、撮像光学系の合焦制御を行う。システム制御部１１は合焦制御部として機能する。
【００６６】
以下、図１のデジタルカメラの動作について説明する。
【００６７】
図８は、図１に示すデジタルカメラの動作を説明するための図である。以下では、選択されているＡＦエリア５３において、Ｙ方向に並ぶ領域Ｒを端から順にＲ１、Ｒ２、・・・、Ｒｍ（ｍは２以上の自然数）とする。
【００６８】
デジタルカメラが撮像モードに設定されると、システム制御部１１は、ライブビュー画像の表示を開始させる（ステップＳ１）。
【００６９】
具体的には、システム制御部１１は、撮像素子５により被写体を撮像し、撮像して得られる撮像画像データに基づく画像を表示部２３に表示させる制御を繰り返し行う。
【００７０】
ライブビュー画像の表示が開始された後、操作部１４に含まれるシャッタボタンの半押し操作等によって撮像光学系の合焦制御の実行指示（以下、オートフォーカスの実行指示と称し、図面ではＡＦ指示と称する）がなされると（ステップＳ２：ＹＥＳ）、システム制御部１１は、このオートフォーカスの実行指示がなされた時点で得られている撮像画像信号のうち最新の画像信号（以下、撮像画像信号Ｇａと称する）を用いて、撮像素子５によって撮像されている被写体の明るさを判定する。例えば、システム制御部１１は、撮像画像信号Ｇａの輝度値の平均又は積算値を明るさとして求める。
【００７１】
システム制御部１１は、求めた明るさが閾値以下であれば（ステップＳ３：ＹＥＳ）、位相差ＡＦ処理部１９にステップＳ４の処理を行わせ、求めた明るさが閾値を超えていれば（ステップＳ３：ＮＯ）、位相差ＡＦ処理部１９にステップＳ１３の処理を行わせる。
【００７２】
ステップＳ１３において、位相差ＡＦ処理部１９は、撮像画像信号Ｇａのうち、選択されているＡＦエリア５３の領域Ｒ１〜Ｒｍの各々にある位相差検出用画素５２Ａと位相差検出用画素５２Ｂの検出信号群同士で相関演算を行って、領域Ｒ１〜Ｒｍの各々についてデフォーカス量Ｄｆｒを生成する。更に、位相差ＡＦ処理部１９は、このデフォーカス量Ｄｆｒの平均値を最終的なデフォーカス量Ｄｆとして生成し、デフォーカス量Ｄｆをシステム制御部１１に通知する。
【００７３】
システム制御部１１は、位相差ＡＦ処理部１９から通知されたデフォーカス量Ｄｆにしたがって、フォーカスレンズを合焦位置に移動させて（ステップＳ１４）、オートフォーカスを完了する。
【００７４】
ステップＳ４において、位相差ＡＦ処理部１９は、領域Ｒ１と領域Ｒｊ（ｊ＝２〜ｍ、初期値は２）とで、これらに結像する被写体像を比較して、図６で説明した方法により、領域Ｒ１に結像する第１の被写体像と領域Ｒｊに結像する第２の被写体像との一致度を最大にするために必要な第１の被写体像のＸ方向へのずらし量Ｓｊを算出する。
【００７５】
次に、位相差ＡＦ処理部１９は、算出したずらし量Ｓｊと閾値ＴＨ１を比較し、ずらし量Ｓｊが閾値ＴＨ１以上であれば（ステップＳ５：ＮＯ）、ずらし量Ｓｊが算出された領域Ｒｊにある位相差検出用画素５２Ａ，５２Ｂを、領域Ｒ１の位相差検出用画素５２Ａ，５２Ｂに対する検出信号の加算対象から除外する（ステップＳ７）。
【００７６】
ずらし量Ｓｊが大きすぎると、大幅にずれた位置にある位相差検出用画素同士で検出信号が加算されることになり、最終的に求まるデフォーカス量の信頼性が低下する。このため、ステップＳ７では、ずらし量Ｓｊが閾値ＴＨ１以上となる領域については検出信号の加算対象から除外している。
【００７７】
位相差ＡＦ処理部１９は、ずらし量Ｓｊが閾値ＴＨ１未満であれば（ステップＳ５：ＹＥＳ）、領域Ｒ１にある複数の位相差検出用画素５２Ａの各々に対し、Ｘ方向にずらし量Ｓｊずれた位置にある領域Ｒｊの位相差検出用画素５２Ａを加算対象として決定する。また、位相差ＡＦ処理部１９は、領域Ｒ１にある複数の位相差検出用画素５２Ｂの各々に対し、Ｘ方向にずらし量Ｓｊずれた位置にある領域Ｒｊの位相差検出用画素５２Ｂを加算対象として決定する（ステップＳ６）。
【００７８】
ステップＳ６及びステップＳ７の後、位相差ＡＦ処理部１９は、ｊ＝ｍかどうかを判定する（ステップＳ８）。位相差ＡＦ処理部１９は、ステップＳ８の判定がＮＯであれば、ステップＳ９でｊをｊ＋１にして、ステップＳ４の処理を行う。
【００７９】
位相差ＡＦ処理部１９は、ステップＳ８の判定がＹＥＳであれば、領域Ｒ１の位相差検出用画素５２Ａの検出信号と、この位相差検出用画素５２Ａに対し加算対象として決定した領域Ｒ２〜Ｒｍの各々の位相差検出用画素５２Ａの検出信号とを加算する。また、位相差ＡＦ処理部１９は、領域Ｒ１の位相差検出用画素５２Ｂの検出信号と、この位相差検出用画素５２Ｂに対して加算対象として決定した領域Ｒ２〜Ｒｍの各々の位相差検出用画素５２Ｂの検出信号とを加算する（ステップＳ１０）。
【００８０】
次に、位相差ＡＦ処理部１９は、加算後の位相差検出用画素５２Ａの検出信号群と位相差検出用画素５２Ｂの検出信号群とで相関演算を行い、この相関演算の結果から第１のデフォーカス量Ｄｆ１を生成する（ステップＳ１１）。
【００８１】
第１のデフォーカス量Ｄｆ１が生成されると、第１のデフォーカス量Ｄｆ１がシステム制御部１１に通知される。そして、システム制御部１１は、第１のデフォーカス量Ｄｆ１にしたがってフォーカスレンズを駆動し（ステップＳ１２）、オートフォーカスが完了する。
【００８２】
以上のように、図１のデジタルカメラによれば、被写体が暗い場合であっても、位相差検出用画素５２Ａ（５２Ｂ）の検出信号を複数行で加算してから相関演算を行うため、デフォーカス量の生成精度低下を防ぐことができる。また、被写体パターンに応じて、領域Ｒ毎に、加算対象となる画素の位置が決まるため、デフォーカス量の生成精度を向上させることができる。
【００８３】
図６の説明では、領域Ｒ１とそれ以外の領域Ｒ２（Ｒ３）とにそれぞれ結像する被写体像の一致度が最大となるずらし量を求めるために、比較対象とした２つの領域の各々にある位相差検出用画素５２Ａの検出信号同士のマッチングを行うものとした。
【００８４】
しかし、比較対象とした２つの領域の各々にある位相差検出用画素５２Ｂの検出信号同士のマッチングを行っても同様にずらし量を算出することができる。また、比較対象とした２つの領域の各々にある撮像用画素５１の検出信号同士のマッチングを行っても同様にずらし量を算出することができる。
【００８５】
比較対象とした２つの領域の各々にある撮像用画素５１の検出信号同士のマッチングを行う場合について説明する。この場合は、例えば、図６において領域Ｒ１と領域Ｒ２に結像する被写体像を比較する際、領域Ｒ１にある位相差検出用画素５２Ａ，５２Ｂを含まない行の撮像用画素５１の検出信号と、領域Ｒ２にある位相差検出用画素５２Ａ，５２Ｂを含まない行の撮像用画素５１の検出信号とでマッチングを行う。この方法では、撮像用画素は位相差検出用画素に比べて感度が高いため、ずらし量の算出精度を上げることができる。
【００８６】
または、領域Ｒ１にある位相差検出用画素５２Ａ又は位相差検出用画素５２Ｂを含む行の撮像用画素５１の検出信号と、領域Ｒ２にある位相差検出用画素５２Ａ又は位相差検出用画素５２Ｂを含む行の撮像用画素５１の検出信号とでマッチングを行ってもよい。このように、位相差検出用画素と同じ行にある撮像用画素同士でマッチングを行うことで、ずらし量の算出精度を更に上げることができる。
【００８７】
なお、図６では、ずらし量を算出する基準の領域を領域Ｒ１とする例を説明した。しかし、基準とする領域は順次変えていってもよい。
【００８８】
例えば、最初は、領域Ｒ１と領域Ｒ２とで被写体像の比較を行ってずらし量Ｓｃを算出する。次に、領域Ｒ２と領域Ｒ３とで被写体像の比較を行って、領域Ｒ２に結像する被写体像Ｒ２ａと、領域Ｒ３に結像する被写体像Ｒ３ａとの一致度を最大にするために必要な被写体像Ｒ２ａのＸ方向へのずらし量Ｓｄを算出する。
【００８９】
領域Ｒ２と領域Ｒ３とで被写体像の比較は、領域Ｒ２にある位相差検出用画素５２Ａ（５２Ｂ）のうち、領域Ｒ１の位相差検出用画素５２Ａ，５２Ｂに対してずらし量Ｓｃだけずらした位置にある位相差検出用画素５２Ａ（５２Ｂ）の検出信号と、領域Ｒ３にある全ての位相差検出用画素５２Ａ（５２Ｂ）の検出信号とのマッチングによって行う。
【００９０】
そして、領域Ｒ１にある位相差検出用画素５２Ａ（５２Ｂ）に対し、Ｘ方向にずらし量Ｓｃずれた位置にある領域Ｒ２の位相差検出用画素５２Ａ（５２Ｂ）を、領域Ｒ１にある位相差検出用画素５２Ａ（５２Ｂ）の加算対象とする。また、領域Ｒ２において加算対象とした各位相差検出用画素５２Ａ（５２Ｂ）に対し、Ｘ方向にずらし量Ｓｄずれた位置にある領域Ｒ３の位相差検出用画素５２Ａ（５２Ｂ）を、領域Ｒ１にある位相差検出用画素５２Ａ（５２Ｂ）の加算対象とする。
【００９１】
このようにすることで、常に隣接する２つの領域で被写体像を比較することになるため、ずらし量の信頼性を高めることができる。
【００９２】
ここまでは、選択されたＡＦエリア５３全体に対し、図８のステップＳ４〜ステップＳ１１の処理を行うものとしたが、これに限らない。例えば、図９に示すように、選択されたＡＦエリア５３をＹ方向に分割（図９の例では４分割）する。図９に示す各ブロック５３Ａ〜５３Ｄは、領域Ｒ１及び領域ＲｊがＹ方向に配置された構成であればよい。
【００９３】
そして、位相差ＡＦ処理部１９は、ブロック５３Ａ，５３Ｂ，５３Ｃ，５３Ｄ毎にステップＳ４〜ステップＳ１１の処理を行って第１のデフォーカス量Ｄｆ１を生成し、生成した４つの第１のデフォーカス量Ｄｆ１から最終的な第２のデフォーカス量Ｄｆ２を生成する。この場合、システム制御部１１は、第２のデフォーカス量Ｄｆ２にしたがってフォーカスレンズを駆動する。
【００９４】
第２のデフォーカス量Ｄｆ２は、例えば４つの第１のデフォーカス量Ｄｆ１の平均値とすればよい。
【００９５】
このようにすることで、ＡＦエリア５３内でエッジの方向が細かく変わる模様の被写体であっても、デフォーカス量の生成精度を確保することができる。
【００９６】
図９のようにＡＦエリア５３を分割してブロック毎に第１のデフォーカス量Ｄｆ１を生成する構成において、位相差ＡＦ処理部１９は、次のようにして第１のデフォーカス量Ｄｆ１を生成すべきブロックを決定してもよい。
【００９７】
具体的には、位相差ＡＦ処理部１９は、任意のブロックに対し、領域Ｒ１と領域Ｒｊを含む全ての領域の各々において、位相差検出用画素５２Ａの検出信号群と位相差検出用画素５２Ｂの検出信号群との相関演算を行い、この相関演算の結果から第３のデフォーカス量Ｄｆ３を生成する。これにより、１つのブロックには、ｍ個の第３のデフォーカス量Ｄｆ３が生成される。
【００９８】
位相差ＡＦ処理部１９は、この任意のブロックについて生成したｍ個の第３のデフォーカス量Ｄｆ３のばらつきを生成する。そして、このばらつきが閾値ＴＨ２以上であれば、このブロックについては第１のデフォーカス量Ｄｆ１の生成対象から除外し、このばらつきが閾値ＴＨ２未満であれば、このブロックについては第１のデフォーカス量Ｄｆ１の生成対象とする。
【００９９】
ｍ個の第３のデフォーカス量Ｄｆ３のばらつきを示す指標としては、ｍ個の第３のデフォーカス量Ｄｆ３のうちの最大値と最小値の差分、隣接する領域Ｒについて生成した第３のデフォーカス量Ｄｆ３の差分のうちの最大値、隣接する領域Ｒについて生成した第３のデフォーカス量Ｄｆ３の差分の分散、等を算出すればよい。
【０１００】
位相差ＡＦ処理部１９は以上の処理を他のブロックについても行った後、第１のデフォーカス量Ｄｆ１の生成対象としたブロックについてのみ、ステップＳ４〜ステップＳ１１の処理を行って第１のデフォーカス量Ｄｆ１を生成する。そして、位相差ＡＦ処理部１９は、生成した第１のデフォーカス量Ｄｆ１から第２のデフォーカス量Ｄｆ２を生成する。
【０１０１】
ＡＦエリア５３を分割したブロックについて生成されるｍ個の第３のデフォーカス量Ｄｆ３のばらつきが大きいということは、このブロックに結像する被写体像に、被写体距離が近いものと遠いものとが混在していることを意味する。このような場合で、上述したように位相差検出用画素５２Ａ（５２Ｂ）の検出信号を加算すると、被写体距離が遠いものと近いものを加算することになってしまい、生成される第１のデフォーカス量Ｄｆの信頼性は低くなる。
【０１０２】
このため、遠近が混在する被写体が結像するブロックを除くブロックについて生成した第１のデフォーカス量Ｄｆ１から第２のデフォーカス量Ｄｆ２を求めることで、第２のデフォーカス量Ｄｆ２の信頼性を高めることができる。
【０１０３】
なお、図８の動作例では、被写体が暗いときにステップＳ４以降の処理を行うものとした。しかし、位相差検出用画素の検出信号の加算が必要となるのは、位相差検出用画素５２Ａ，５２Ｂの検出信号レベルが低くなるような撮像状況であり、被写体が暗いときだけに限らない。
【０１０４】
例えば、撮像素子５に入射する光線角度が大きくなって位相差検出用画素５２Ａ，５２Ｂに入射する光が少なくなるような場合（広角撮像時）にステップＳ４以降の処理を行ってもよい。または、位相差検出用画素５２Ａ，５２Ｂの検出信号レベルが小さい場合にステップＳ４以降の処理を行ってもよい。
【０１０５】
また、撮像素子５は、第１の信号検出部と第２の信号検出部のペアを複数有する構成であればよく、図２〜５に示した構成に限らない。
【０１０６】
例えば、撮像素子５に含まれる全ての画素を撮像用画素５１とし、各撮像用画素５１を２つに分割して、一方の分割エリアを位相差検出用画素５２Ａとし、他方の分割エリアを位相差検出用画素５２Ｂとした構成であってもよい。
【０１０７】
図１０は、撮像素子５に含まれる全ての画素を撮像用画素５１とし、各撮像用画素５１を２つに分割した構成を示す図である。
【０１０８】
図１０の構成では、撮像素子５においてＲを付した撮像用画素５１を２つに分割し、分割した２つをそれぞれ位相差検出用画素ｒ１と位相差検出用画素ｒ２としている。
【０１０９】
また、撮像素子５においてＧを付した撮像用画素５１を２つに分割し、分割した２つをそれぞれ位相差検出用画素ｇ１と位相差検出用画素ｇ２としている。
【０１１０】
また、撮像素子５においてＢを付した撮像用画素５１を２つに分割し、分割した２つをそれぞれ位相差検出用画素ｂ１と位相差検出用画素ｂ２としている。
【０１１１】
この構成では、位相差検出用画素ｒ１，ｇ１，ｂ１がそれぞれ第１の信号検出部となり、位相差検出用画素ｒ２，ｇ２，ｂ２がそれぞれ第２の信号検出部となる。第１の信号検出部と第２の信号検出部からは独立に信号を読み出すことができる。
【０１１２】
そして、第１の信号検出部と第２の信号検出部の信号を加算すると、位相差のない通常の撮像用信号を得られる。つまり、撮像用画素５１は、第３の信号検出部としても機能する。このように、図６の構成では、全ての画素を、位相差検出用画素と撮像用画素との両方として用いることができる。
【０１１３】
図１０の構成では、例えば、１行目にある撮像用画素５１を含む領域が領域Ｒ１となり、３行目にある撮像用画素５１を含む領域が領域Ｒ２となり、５行目にある撮像用画素５１を含む領域が領域Ｒ３となり、７行目にある撮像用画素５１を含む領域が領域Ｒ４となる。
【０１１４】
領域Ｒ１と領域Ｒ２との間でずらし量を算出する場合は、第１の信号検出部の検出信号同士、第２の信号検出部の検出信号同士、又は第３の信号検出部の検出信号同士でマッチングを行ってずらし量を算出する。
【０１１５】
この構成によれば、位相差検出用画素の検出信号を用いてマッチングを行っても、マッチングを行う２つの検出信号群のＸ方向のサンプリング間隔を最小にすることができる。したがって、図２〜５の撮像素子の構成と比べて、ずらし量の算出精度を更に上げることができる。
【０１１６】
本明細書では撮像装置としてデジタルカメラを例にしたが、以下では、撮像装置としてカメラ付のスマートフォンの実施形態について説明する。
【０１１７】
図１１は、本発明の撮像装置の一実施形態であるスマートフォン２００の外観を示すものである。図１１に示すスマートフォン２００は、平板状の筐体２０１を有し、筐体２０１の一方の面に表示部としての表示パネル２０２と、入力部としての操作パネル２０３とが一体となった表示入力部２０４を備えている。また、この様な筐体２０１は、スピーカ２０５と、マイクロホン２０６と、操作部２０７と、カメラ部２０８とを備えている。なお、筐体２０１の構成はこれに限定されず、例えば、表示部と入力部とが独立した構成を採用したり、折り畳み構造やスライド機構を有する構成を採用したりすることもできる。
【０１１８】
図１２は、図１１に示すスマートフォン２００の構成を示すブロック図である。図１２に示すように、スマートフォンの主たる構成要素として、無線通信部２１０と、表示入力部２０４と、通話部２１１と、操作部２０７と、カメラ部２０８と、記憶部２１２と、外部入出力部２１３と、ＧＰＳ（Ｇｌｏｂａｌ  Ｐｏｓｉｔｉｏｎｉｎｇ  Ｓｙｓｔｅｍ）受信部２１４と、モーションセンサ部２１５と、電源部２１６と、主制御部２２０とを備える。また、スマートフォン２００の主たる機能として、図示省略の基地局装置ＢＳと図示省略の移動通信網ＮＷとを介した移動無線通信を行う無線通信機能を備える。
【０１１９】
無線通信部２１０は、主制御部２２０の指示にしたがって、移動通信網ＮＷに収容された基地局装置ＢＳに対し無線通信を行うものである。この無線通信を使用して、音声データ、画像データ等の各種ファイルデータ、電子メールデータなどの送受信や、Ｗｅｂデータやストリーミングデータなどの受信を行う。
【０１２０】
表示入力部２０４は、主制御部２２０の制御により、画像（静止画像および動画像）や文字情報などを表示して視覚的にユーザに情報を伝達するとともに、表示した情報に対するユーザ操作を検出する、いわゆるタッチパネルであって、表示パネル２０２と、操作パネル２０３とを備える。
【０１２１】
表示パネル２０２は、ＬＣＤ（Ｌｉｑｕｉｄ  Ｃｒｙｓｔａｌ  Ｄｉｓｐｌａｙ）、ＯＥＬＤ（Ｏｒｇａｎｉｃ  Ｅｌｅｃｔｒｏ−Ｌｕｍｉｎｅｓｃｅｎｃｅ  Ｄｉｓｐｌａｙ）などを表示デバイスとして用いたものである。
【０１２２】
操作パネル２０３は、表示パネル２０２の表示面上に表示される画像を視認可能に載置され、ユーザの指や尖筆によって操作される一又は複数の座標を検出するデバイスである。このデバイスをユーザの指や尖筆によって操作すると、操作に起因して発生する検出信号を主制御部２２０に出力する。次いで、主制御部２２０は、受信した検出信号に基づいて、表示パネル２０２上の操作位置（座標）を検出する。
【０１２３】
図１１に示すように、本発明の撮像装置の一実施形態として例示しているスマートフォン２００の表示パネル２０２と操作パネル２０３とは一体となって表示入力部２０４を構成しているが、操作パネル２０３が表示パネル２０２を完全に覆うような配置となっている。
【０１２４】
係る配置を採用した場合、操作パネル２０３は、表示パネル２０２外の領域についても、ユーザ操作を検出する機能を備えてもよい。換言すると、操作パネル２０３は、表示パネル２０２に重なる重畳部分についての検出領域（以下、表示領域と称する）と、それ以外の表示パネル２０２に重ならない外縁部分についての検出領域（以下、非表示領域と称する）とを備えていてもよい。
【０１２５】
なお、表示領域の大きさと表示パネル２０２の大きさとを完全に一致させても良いが、両者を必ずしも一致させる必要は無い。また、操作パネル２０３が、外縁部分と、それ以外の内側部分の２つの感応領域を備えていてもよい。更に、外縁部分の幅は、筐体２０１の大きさなどに応じて適宜設計されるものである。更にまた、操作パネル２０３で採用される位置検出方式としては、マトリクススイッチ方式、抵抗膜方式、表面弾性波方式、赤外線方式、電磁誘導方式、静電容量方式などが挙げられ、いずれの方式を採用することもできる。
【０１２６】
通話部２１１は、スピーカ２０５やマイクロホン２０６を備え、マイクロホン２０６を通じて入力されたユーザの音声を主制御部２２０にて処理可能な音声データに変換して主制御部２２０に出力したり、無線通信部２１０あるいは外部入出力部２１３により受信された音声データを復号してスピーカ２０５から出力させたりするものである。また、図１１に示すように、例えば、スピーカ２０５を表示入力部２０４が設けられた面と同じ面に搭載し、マイクロホン２０６を筐体２０１の側面に搭載することができる。
【０１２７】
操作部２０７は、キースイッチなどを用いたハードウェアキーであって、ユーザからの指示を受け付けるものである。例えば、図１１に示すように、操作部２０７は、スマートフォン２００の筐体２０１の側面に搭載され、指などで押下されるとオンとなり、指を離すとバネなどの復元力によってオフ状態となる押しボタン式のスイッチである。
【０１２８】
記憶部２１２は、主制御部２２０の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。また、記憶部２１２は、スマートフォン内蔵の内部記憶部２１７と着脱自在な外部メモリスロットを有する外部記憶部２１８により構成される。なお、記憶部２１２を構成するそれぞれの内部記憶部２１７と外部記憶部２１８は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＭｉｃｒｏＳＤ（登録商標）メモリ等）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などの格納媒体を用いて実現される。
【０１２９】
外部入出力部２１３は、スマートフォン２００に連結される全ての外部機器とのインターフェースの役割を果たすものであり、他の外部機器に通信等（例えば、ユニバーサルシリアルバス（ＵＳＢ）、ＩＥＥＥ１３９４など）又はネットワーク（例えば、インターネット、無線ＬＡＮ、ブルートゥース（Ｂｌｕｅｔｏｏｔｈ）（登録商標）、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ：ＩｒＤＡ）（登録商標）、ＵＷＢ（Ｕｌｔｒａ  Ｗｉｄｅｂａｎｄ）（登録商標）、ジグビー（ＺｉｇＢｅｅ）（登録商標）など）により直接的又は間接的に接続するためのものである。
【０１３０】
スマートフォン２００に連結される外部機器としては、例えば、有／無線ヘッドセット、有／無線外部充電器、有／無線データポート、カードソケットを介して接続されるメモリカード（Ｍｅｍｏｒｙ  ｃａｒｄ）やＳＩＭ（Ｓｕｂｓｃｒｉｂｅｒ  Ｉｄｅｎｔｉｔｙ  Ｍｏｄｕｌｅ  Ｃａｒｄ）／ＵＩＭ（Ｕｓｅｒ  Ｉｄｅｎｔｉｔｙ  Ｍｏｄｕｌｅ  Ｃａｒｄ）カード、オーディオ・ビデオＩ／Ｏ（Ｉｎｐｕｔ／Ｏｕｔｐｕｔ）端子を介して接続される外部オーディオ・ビデオ機器、無線接続される外部オーディオ・ビデオ機器、有／無線接続されるスマートフォン、有／無線接続されるパーソナルコンピュータ、有／無線接続されるＰＤＡ、有／無線接続されるパーソナルコンピュータ、イヤホンなどがある。外部入出力部２１３は、このような外部機器から伝送を受けたデータをスマートフォン２００の内部の各構成要素に伝達することや、スマートフォン２００の内部のデータが外部機器に伝送されるようにすることができる。
【０１３１】
ＧＰＳ受信部２１４は、主制御部２２０の指示にしたがって、ＧＰＳ衛星ＳＴ１〜ＳＴｎから送信されるＧＰＳ信号を受信し、受信した複数のＧＰＳ信号に基づく測位演算処理を実行し、当該スマートフォン２００の緯度、経度、高度からなる位置を検出する。ＧＰＳ受信部２１４は、無線通信部２１０や外部入出力部２１３（例えば、無線ＬＡＮ）から位置情報を取得できる時には、その位置情報を用いて位置を検出することもできる。
【０１３２】
モーションセンサ部２１５は、例えば、３軸の加速度センサなどを備え、主制御部２２０の指示にしたがって、スマートフォン２００の物理的な動きを検出する。スマートフォン２００の物理的な動きを検出することにより、スマートフォン２００の動く方向や加速度が検出される。係る検出結果は、主制御部２２０に出力されるものである。
【０１３３】
電源部２１６は、主制御部２２０の指示にしたがって、スマートフォン２００の各部に、バッテリ（図示しない）に蓄えられる電力を供給するものである。
【０１３４】
主制御部２２０は、マイクロプロセッサを備え、記憶部２１２が記憶する制御プログラムや制御データにしたがって動作し、スマートフォン２００の各部を統括して制御するものである。また、主制御部２２０は、無線通信部２１０を通じて、音声通信やデータ通信を行うために、通信系の各部を制御する移動通信制御機能と、アプリケーション処理機能を備える。
【０１３５】
アプリケーション処理機能は、記憶部２１２が記憶するアプリケーションソフトウェアにしたがって主制御部２２０が動作することにより実現するものである。アプリケーション処理機能としては、例えば、外部入出力部２１３を制御して対向機器とデータ通信を行う赤外線通信機能や、電子メールの送受信を行う電子メール機能、Ｗｅｂページを閲覧するＷｅｂブラウジング機能などがある。
【０１３６】
また、主制御部２２０は、受信データやダウンロードしたストリーミングデータなどの画像データ（静止画像や動画像のデータ）に基づいて、映像を表示入力部２０４に表示する等の画像処理機能を備える。画像処理機能とは、主制御部２２０が、上記画像データを復号し、この復号結果に画像処理を施して、画像を表示入力部２０４に表示する機能のことをいう。
【０１３７】
更に、主制御部２２０は、表示パネル２０２に対する表示制御と、操作部２０７、操作パネル２０３を通じたユーザ操作を検出する操作検出制御を実行する。表示制御の実行により、主制御部２２０は、アプリケーションソフトウェアを起動するためのアイコンや、スクロールバーなどのソフトウェアキーを表示したり、あるいは電子メールを作成したりするためのウィンドウを表示する。なお、スクロールバーとは、表示パネル２０２の表示領域に収まりきれない大きな画像などについて、画像の表示部分を移動する指示を受け付けるためのソフトウェアキーのことをいう。
【０１３８】
また、操作検出制御の実行により、主制御部２２０は、操作部２０７を通じたユーザ操作を検出したり、操作パネル２０３を通じて、上記アイコンに対する操作や、上記ウィンドウの入力欄に対する文字列の入力を受け付けたり、あるいは、スクロールバーを通じた表示画像のスクロール要求を受け付ける。
【０１３９】
更に、操作検出制御の実行により主制御部２２０は、操作パネル２０３に対する操作位置が、表示パネル２０２に重なる重畳部分（表示領域）か、それ以外の表示パネル２０２に重ならない外縁部分（非表示領域）かを判定し、操作パネル２０３の感応領域や、ソフトウェアキーの表示位置を制御するタッチパネル制御機能を備える。
【０１４０】
また、主制御部２２０は、操作パネル２０３に対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、あるいはこれらを組み合わせて、複数の位置から少なくとも１つについて軌跡を描く操作を意味する。
【０１４１】
カメラ部２０８は、図１に示したデジタルカメラにおける外部メモリ制御部２０、記録媒体２１、表示制御部２２、表示部２３、及び操作部１４以外の構成を含む。カメラ部２０８によって生成された撮像画像データは、記憶部２１２に記録したり、入出力部２１３や無線通信部２１０を通じて出力したりすることができる。図１１に示すスマートフォン２００において、カメラ部２０８は表示入力部２０４と同じ面に搭載されているが、カメラ部２０８の搭載位置はこれに限らず、表示入力部２０４の背面に搭載されてもよい。
【０１４２】
また、カメラ部２０８はスマートフォン２００の各種機能に利用することができる。例えば、表示パネル２０２にカメラ部２０８で取得した画像を表示することや、操作パネル２０３の操作入力のひとつとして、カメラ部２０８の画像を利用することができる。また、ＧＰＳ受信部２１４が位置を検出する際に、カメラ部２０８からの画像を参照して位置を検出することもできる。更には、カメラ部２０８からの画像を参照して、３軸の加速度センサを用いずに、或いは、３軸の加速度センサと併用して、スマートフォン２００のカメラ部２０８の光軸方向を判断することや、現在の使用環境を判断することもできる。勿論、カメラ部２０８からの画像をアプリケーションソフトウェア内で利用することもできる。
【０１４３】
その他、静止画又は動画の画像データにＧＰＳ受信部２１４により取得した位置情報、マイクロホン２０６により取得した音声情報（主制御部等により、音声テキスト変換を行ってテキスト情報となっていてもよい）、モーションセンサ部２１５により取得した姿勢情報等などを付加して記憶部２１２に記録したり、入出力部２１３や無線通信部２１０を通じて出力したりすることもできる。
【０１４４】
以上のような構成のスマートフォン２００においても、カメラ部２０８の撮像素子として撮像素子５を用い、主制御部２２０において図８で説明した処理を行うことで、位相差検出用画素の検出信号レベルが低い場合でも、被写体によらずに、精度の高い合焦制御が可能になる。
【０１４５】
以上説明してきたように、本明細書には以下の事項が開示されている。
【０１４６】
開示された撮像装置は、一方向に２つの分割領域に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、上記一方向に並ぶ複数の上記第１の信号検出部及びその第１の信号検出部とペアを組む複数の上記第２の信号検出部が配置される領域が上記一方向に直交する方向に並ぶ撮像面を有する撮像素子と、複数の上記領域のうちの任意の領域にある複数の上記第１の信号検出部の各々に対し、上記任意の領域を除く各領域において検出信号の加算対象とする上記第１の信号検出部と、その複数の第１の信号検出部の各々とペアを組む上記第２の信号検出部に対し、上記任意の領域を除く各領域において検出信号の加算対象とする上記第２の信号検出部とを上記複数の領域の各々に結像する被写体像の比較によって決定する加算対象決定部と、上記任意の領域にある上記複数の第１の信号検出部の各々の検出信号と、その各第１の信号検出部に対し上記加算対象として決定された第１の信号検出部の検出信号とを加算することにより得られる検出信号群と、上記任意の領域にある上記複数の第２の信号検出部の各々の検出信号と、その各第２の信号検出部に対し上記加算対象として決定された第２の信号検出部の検出信号とを加算することにより得られる検出信号群との相関演算を行い、上記相関演算の結果から第１のデフォーカス量を生成するデフォーカス量生成部と、上記第１のデフォーカス量に基づいて上記撮像光学系の合焦制御を行う合焦制御部と、を備える。
【０１４７】
開示された撮像装置において、上記加算対象決定部は、上記任意の領域に結像する第１の被写体像と、上記任意の領域を除く各領域に結像する第２の被写体像との一致度を最大にするために必要な上記第１の被写体像の上記一方向へのずらし量を上記任意の領域を除く領域毎に算出し、上記任意の領域を除く各領域にある上記第１の信号検出部及び上記第２の信号検出部のうち、上記任意の領域にある上記複数の第１の信号検出部の各々に対しその各領域について算出された上記ずらし量ずれた位置にある第１の信号検出部を加算対象として決定し、上記任意の領域にある上記複数の第２の信号検出部の各々に対しそのずらし量ずれた位置にある第２の信号検出部を加算対象として決定してもよい。
【０１４８】
開示された撮像装置において、上記加算対象決定部は、上記ずらし量が第１の閾値以上となる上記領域にある上記第１の信号検出部及び上記第２の信号検出部を上記加算対象から除外してもよい。
【０１４９】
開示された撮像装置において、上記加算対象決定部は、上記複数の領域の各々に結像する被写体像の比較を、上記複数の領域の各々にある上記第１の信号検出部又は上記第２の信号検出部の検出信号のマッチングにより行ってもよい。
【０１５０】
開示された撮像装置において、上記領域には、上記２つの分割領域を通過した光束に応じた信号を検出する第３の信号検出部が更に配置されており、上記加算対象決定部は、上記複数の領域の各々に結像する被写体像の比較を、上記複数の領域の各々にある上記第３の信号検出部の検出信号同士のマッチングにより行ってもよい。
【０１５１】
開示された撮像装置において、上記加算対象決定部は、上記複数の領域の各々に結像する被写体像の比較を、上記複数の領域の各々にある、上記第１の信号検出部又は上記第２の信号検出部と同じ行にある上記第３の信号検出部の検出信号同士のマッチングにより行ってもよい。
【０１５２】
開示された撮像装置において、上記領域にある上記ペアは、検出信号を加算することで、上記２つの分割領域を通過した光束に応じた信号を検出する第３の信号検出部として機能するものであってもよく、上記加算対象決定部は、上記複数の領域の各々に結像する被写体像の比較を、上記複数の領域の各々にある各ペアの上記第１の信号検出部の検出信号と上記第２の信号検出部の検出信号を加算した検出信号同士のマッチングにより行ってもよい。
【０１５３】
開示された撮像装置において、上記加算対象決定部は、上記撮像面を上記複数の領域からなるブロックに分割したときの上記ブロック毎に上記加算対象を決定し、上記デフォーカス量生成部は、上記ブロック毎に上記第１のデフォーカス量を生成し、上記ブロック毎に生成した第１のデフォーカス量から第２のデフォーカス量を生成してもよく、上記合焦制御部は、上記第２のデフォーカス量にしたがって上記撮像光学系の合焦制御を行ってもよい。
【０１５４】
開示された撮像装置において、上記デフォーカス量生成部は、上記ブロックに含まれる上記複数の領域の各々において、複数の上記ペアから出力される上記第１の信号検出部の検出信号と上記第２の信号検出部の検出信号とで相関演算を行い、その相関演算の結果から第３のデフォーカス量を生成し、上記複数の領域の各々について生成された上記第３のデフォーカス量のばらつきが第２の閾値以上となる上記ブロックを除くブロックについて生成した上記第１のデフォーカス量から上記第２のデフォーカス量を生成してもよい。
【０１５５】
開示された撮像装置の合焦制御方法は、一方向に分割される撮像光学系の瞳領域のうちの一方の分割領域を通過した光束に応じた信号を検出する第１の信号検出部、及び、他方の分割領域を通過した光束に応じた信号を検出する第２の信号検出部のペアを有し、上記一方向に並ぶ複数の上記第１の信号検出部及びその第１の信号検出部とペアを組む上記第２の信号検出部が配置される領域が上記一方向に直交する方向に並ぶ撮像面を有し、上記撮像光学系を通して被写体を撮像する撮像素子を有する撮像装置の合焦制御方法であって、複数の上記領域のうちの任意の領域にある複数の上記第１の信号検出部の各々に対し、上記任意の領域を除く各領域において検出信号の加算対象とする上記第１の信号検出部と、その複数の第１の信号検出部の各々とペアを組む上記第２の信号検出部に対し、上記任意の領域を除く各領域において検出信号の加算対象とする上記第２の信号検出部とを上記複数の領域の各々に結像する被写体像の比較によって決定する加算対象決定ステップと、上記任意の領域にある上記複数の第１の信号検出部の各々の検出信号と、その各第１の信号検出部に対し上記加算対象として決定された第１の信号検出部の検出信号とを加算することにより得られる検出信号群と、上記任意の領域にある上記複数の第２の信号検出部の各々の検出信号、その各第２の信号検出部に対し上記加算対象として決定された第２の信号検出部の検出信号とを加算することにより得られる検出信号群との相関演算を行い、上記相関演算の結果から第１のデフォーカス量を生成するデフォーカス量生成ステップと、上記第１のデフォーカス量に基づいて上記撮像光学系の合焦制御を行う合焦制御ステップと、を備える。
【産業上の利用可能性】
【０１５６】
本発明は、デジタルカメラ等に適用して利便性が高く、有効である。
【符号の説明】
【０１５７】
１  撮像レンズ
２  絞り
５  撮像素子
１１  システム制御部（合焦制御部）
１９  位相差ＡＦ処理部（デフォーカス量生成部、加算対象決定部）
５０  撮像面
５１  撮像用画素（第３の信号検出部）
５２Ａ，５２Ｂ  位相差検出用画素（第１の信号検出部、第２の信号検出部）
５３  ＡＦエリア
５３Ａ，５３Ｂ，５３Ｃ，５３Ｄ  ブロック
【図１】
0005982600.tif 000002
【図２】
0005982600.tif 000003
【図３】
0005982600.tif 000004
【図４】
0005982600.tif 000005
【図５】
0005982600.tif 000006
【図６】
0005982600.tif 000007
【図７】
0005982600.tif 000008
【図８】
0005982600.tif 000009
【図９】
0005982600.tif 000010
【図１０】
0005982600.tif 000011
【図１１】
0005982600.tif 000012
【図１２】
0005982600.tif 000013